(57)【要約】【課題】所定の領域を容易に認識することができる表示装置を提供すること。【解決手段】画像処置装置は、撮像部と、表示部と、視点位置検出部と、領域指定部と、画像処理部と、表示制御部と、を備える。撮像部は、対象者のフレーム画像を撮像し、表示部は、対象者の鏡像を表示する。表示制御部は、表示部にフレーム画像を鏡像として表示する。視点位置検出部は、対象者の鏡像への視点位置を検出する。領域指定部は、視点位置検出部により検出された鏡像への視点位置に応じた、フレーム画像の画像領域を注目領域として指定する。画像処理部は、領域指定部により指定された注目領域に対して、視認性を向上させる画像処理を行う。表示制御部は、画像処理部により視認性を向上させる画像処理が行われた注目領域を表示部に表示する。【選択図】図４
2019161508.tif 000002
【特許請求の範囲】
【請求項１】
対象者のフレーム画像を撮像する撮像手段と、
対象者の鏡像を表示する表示手段と、
前記表示手段に前記フレーム画像を鏡像として表示させる第1の表示制御手段と、
前記対象者の鏡像への視点位置を検出する視点位置検出手段と、
前記視点位置検出手段により検出された前記鏡像への視点位置に応じた、前記フレーム画像の画像領域を注目領域として指定する領域指定手段と、
前記領域指定手段により指定された前記注目領域に対して、視認性を向上させる画像処理を行う画像処理手段と、
前記画像処理手段により視認性を向上させる画像処理が行われた前記注目領域を前記表示手段に表示する第２の表示制御手段と、
を備えることを特徴とする表示装置。
【請求項２】
前記画像処理手段は、前記注目領域を強調するように画像処理を行う、
ことを特徴とする請求項１に記載の表示装置。
【請求項３】
前記画像処理手段は、前記注目領域を拡大するように画像処理を行う、
ことを特徴とする請求項１または２に記載の表示装置。
【請求項４】
前記画像処理手段は、前記注目領域と、注目領域以外の領域とに各々異なる画像処理を行う、
ことを特徴とする請求項１乃至３の何れか１項に記載の表示装置。
【請求項５】
前記画像処理手段は、前記撮像手段により撮像された対象者のフレーム画像に視認性を向上させる画像処理を行い、前記画像処理が行われたフレーム画像から、注目領域を抽出し、
前記第２の表示制御手段は、前記画像処理が行われる前のフレーム画像とともに前記注目領域を表示することを特徴とする請求項１乃至３の何れか１項に記載の表示装置。
【請求項６】
前記第２の表示制御手段は、
視認性を向上させる画像処理が行われた前記注目領域と、
前記視認性を向上させる画像処理が行われていない注目領域以外の領域と、
を含むフレーム画像を、前記表示手段に表示することを特徴とする請求項１乃至３の何れか１項に記載の表示装置。
【請求項７】
前記撮像手段により撮像された第１のフレーム画像と当該第１のフレーム画像とは異なる第２のフレーム画像との変化領域を検出する変化領域検出手段と、
を更に備え、
前記領域指定手段は、前記視点位置検出手段により検出された前記鏡像への視点位置と、前記変化領域検出手段により検出された前記変化領域と、に基づいて注目領域を指定する、
ことを特徴とする請求項１乃至６の何れか１項に記載の表示装置。
【請求項８】
前記領域指定手段は、前記視点位置検出手段により検出された前記鏡像への視点位置、又は対象者の鏡像を中心とした所定の範囲を注目領域とする、
ことを特徴とする請求項１乃至７の何れか１項に記載の表示装置。
【請求項９】
前記フレーム画像は対象物を含み、
前記画像処理手段は、前記対象物を含む領域と前記対象物を含まない領域とに各々異なる画像処理を行う、
ことを特徴とする請求項１乃至８の何れか１項に記載の表示装置。
【請求項１０】
前記画像処理手段は、前記注目領域を強調するように前記対象物を含む領域と前記対象物を含まない領域とに各々異なる画像処理を行う、
ことを特徴とする請求項９に記載の表示装置。
【請求項１１】
前記強調とは、フィルタ処理、エッジ強調、ノイズ除去、高解像度化、コントラスト処理、又はＨＤＲ処理であることを特徴とする請求項２又は請求項１０に記載の表示装置。
【請求項１２】
コンピュータが実行する表示方法であって、
対象者のフレーム画像を撮像する撮像ステップと、
対象者の鏡像を表示する表示ステップと、
前記表示ステップにおいて、前記フレーム画像を鏡像として表示させる第1の表示制御ステップと、
前記対象者の鏡像への視点位置を検出する視点位置検出ステップと、
前記視点位置検出ステップにおいて検出された前記鏡像への視点位置に応じた、前記フレーム画像の画像領域を注目領域として指定する領域指定ステップと、
前記領域指定ステップにおいて指定された前記注目領域に対して、視認性を向上させる画像処理を行う画像処理ステップと、
前記画像処理ステップにおいて視認性を向上させる画像処理が行われた前記注目領域を、前記表示ステップにおいて表示させる第２の表示制御ステップと、
を備えることを特徴とする表示方法。
【請求項１３】
コンピュータに、
対象者のフレーム画像を撮像する撮像機能と、
対象者の鏡像を表示する表示機能と、
前記表示機能において、前記フレーム画像を鏡像として表示させる第1の表示制御機能と、
前記対象者の鏡像への視点位置を検出する視点位置検出機能と、
前記視点位置検出機能により検出された前記鏡像への視点位置に応じた、前記フレーム画像の画像領域を注目領域として指定する領域指定機能と、
前記領域指定機能により指定された前記注目領域に対して、視認性を向上させる画像処理を行う画像処理機能と、
前記画像処理機能により視認性を向上させる画像処理が行われた前記注目領域を、前記表示機能において表示させる第２の表示制御機能と、
を実現させることを特徴とするプログラム。
【発明の詳細な説明】
【技術分野】
【０００１】
本発明は、表示装置、表示処理方法、及び表示処理プログラムに関する。
【背景技術】
【０００２】
従来、カメラと鏡面とを備える、カメラ付きミラー装置が知られている。
例えば、カメラ付きミラー装置では、カメラでの撮影時、被撮影者は自身の鏡像を確認することができる（特許文献１）。
【先行技術文献】
【特許文献】
【０００３】
【特許文献１】特開２０１３−１３２０２９号公報
【発明の概要】
【発明が解決しようとする課題】
【０００４】
しかしながら、特許文献１に記載の構成では、被撮影者は自身の鏡像のうち認識しづらい領域が生じる場合があった。
【０００５】
本発明は、このような状況に鑑みてなされたものであり、所定の領域を容易に認識することができる表示装置を提供することを目的とする。
【課題を解決するための手段】
【０００６】
上記目的を達成するため、本発明の一態様の表示装置は、
対象者のフレーム画像を撮像する撮像手段と、
対象者の鏡像を表示する表示手段と、
前記表示手段に前記フレーム画像を鏡像として表示させる第1の表示制御手段と、
前記対象者の鏡像への視点位置を検出する視点位置検出手段と、
前記視点位置検出手段により検出された前記鏡像への視点位置に応じた、前記フレーム画像の画像領域を注目領域として指定する領域指定手段と、
前記領域指定手段により指定された前記注目領域に対して、視認性を向上させる画像処理を行う画像処理手段と、
前記画像処理手段により視認性を向上させる画像処理が行われた前記注目領域を前記表示手段に表示する第２の表示制御手段と、
を備えることを特徴とする。
【発明の効果】
【０００７】
本発明によれば、所定の領域を容易に認識することができる表示装置を提供することができる。
【図面の簡単な説明】
【０００８】
【図１】本発明の第１の実施形態に係る表示処理システムの構成、及び表示装置の外観の構成を示す図である。
【図２】本発明の第１の実施形態に係る表示装置のハードウェアの構成を示す機能ブロック図である。
【図３】本発明の第１の実施形態に係る表示装置の機能的構成を示す機能ブロック図である。
【図４】図３の表示装置の機能的構成のうち、表示処理を説明するフローチャートである。
【図５】図３の表示装置の機能的構成のうち、視点位置の検出方法の一例を示す図である。
【図６】図３の表示装置の機能的構成のうち、表示処理の一例を示す図である。
【図７】図３の表示装置の機能的構成のうち、表示処理の比較例を示す図である。
【図８】第２の実施形態に係る表示装置の機能的構成を示す機能ブロック図である。
【図９】図８の表示装置の機能的構成のうち、第２の表示処理を説明するフローチャートである。
【発明を実施するための形態】
【０００９】
以下、本発明の実施形態について、図面を用いて説明する。
本発明の第１の実施形態に係る表示装置は、表示部に、カメラと、カメラによって撮像されたユーザの鏡像を表示する画面とが設けられている。ユーザの鏡像への視点位置が検出されると、その視点位置に応じた画像領域は注目領域とされる。この注目領域に対して、例えば、拡大処理の画像処理が行われると、拡大された画像が表示部に表示される。
【００１０】
このような表示装置によれば、ユーザは、自身の視点位置に対応する注目領域が拡大等されることによって、注目している箇所を容易に認識することができる。
【００１１】
［システム構成］
図１は、第１の実施形態に係る表示装置１０が含まれる、画像処理システムＳの全体構成を示す図である。図１に示されるように、第１の実施形態における画像処理システムＳは、表示装置１０単体で構成される。
【００１２】
［外観構成］
図１を参照すると、表示装置１０は、表示部１１と脚部１２とを備え、表示部１１が脚部１２によって背面から支持されることで自立する。表示部１１は、表示画面１３、及び撮像部１４を備える。表示画面１３は、例えば、ＴＦＴ液晶からなる、所謂デジタル鏡である。撮像部１４は、表示画面１３の上部外側に取り付けられ、表示画面１３に正対するものを撮像することができる。撮像部１４は、例えば、表示画面１３に正対するユーザＵの顔を撮像可能な位置に配置される。
【００１３】
ユーザが鏡に正対すると、撮像部１４は、ユーザを認識するとともに、ユーザの姿を撮像する。撮像されたユーザの姿が、表示画面１３に表示されることにより、表示装置１０は、デジタル鏡として機能する。撮像及び表示は、例えば、所定のフレームレートで行われる。なお、表示装置１０は、例えば、タブレットであるが、表示画面１３および撮像部１４を有する機器であれば、いかなる機器であってもよい。
【００１４】
上述の表示装置１０の外観構成は、一例に過ぎず、表示装置１０の外観構成は、この例に限定されない。
【００１５】
［ハードウェア構成］
図２は、本発明の第１の実施形態に係る表示装置１０のハードウェアの構成を示すブロック図である。
表示装置１０は、例えば、タブレットとして構成される。
【００１６】
図２に示すように、表示装置１０は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、バス２４、入出力インターフェース２５、撮像部１４、入力部２６、通信部２７、表示部１１、記憶部３０、及びドライブ２８を備えている。
【００１７】
ＣＰＵ２１は、ＲＯＭ２２に記録されているプログラム、又は、記憶部３０からＲＡＭ２３にロードされたプログラムに従って各種の処理を実行する。
【００１８】
ＲＡＭ２３には、ＣＰＵ２１が各種の処理を実行する上において必要なデータ等も適宜記憶される。
【００１９】
ＣＰＵ２１、ＲＯＭ２２及びＲＡＭ２３は、バス２４を介して相互に接続されている。このバス２４にはまた、入出力インターフェース２５も接続されている。入出力インターフェース２５には、撮像部１４、入力部２６、通信部２７、表示部１１、記憶部３０、及びドライブ２８が接続されている。
【００２０】
撮像部１４は、図示はしないが、光学レンズ部と、イメージセンサと、を備えている。
【００２１】
光学レンズ部は、被写体を撮像するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００２２】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、デジタル信号が生成され、撮像部１４の出力信号として出力される。
このような撮像部１４の出力信号を、以下、「撮像画像」と呼ぶ。撮像画像のデータは、ＣＰＵ２１や図示しない画像処理部等に適宜供給される。
【００２３】
入力部２６は、各種釦やマイク等で構成され、ユーザの指示操作に応じて各種情報を入力する。
記憶部３０は、ハードディスク或いはフラッシュメモリ等で構成され、各種画像のデータを記憶する。
【００２４】
ドライブ２８には、磁気ディスク、光ディスク、光磁気ディスク、或いは半導体メモリ等よりなる、リムーバブルメディア１００が適宜装着される。ドライブ２８によってリムーバブルメディア１００から読み出されたプログラムは、必要に応じて記憶部３０にインストールされる。また、リムーバブルメディア１００は、記憶部３０に記憶されている画像のデータ等の各種データも、記憶部３０と同様に記憶することができる。
【００２５】
［動作］
図３は、表示装置１０の機能的構成のうち、表示処理を実行するための機能的構成を示す機能ブロック図である。
表示処理とは、表示装置１０が、ユーザを被写体とした画像を撮像し、撮像画像に対して所定の画像処理を施し、表示画面に表示する、一連の処理である。
表示処理が実行される場合、図３に示すように、ＣＰＵ２１において、視点位置検出部２１１、変化領域検出部２１２、領域指定部２１３、画像処理部２１４、及び表示制御部２１５、が機能する。
【００２６】
また、記憶部３０の一領域には、撮像データ記憶部３０１が設定される。
撮像データ記憶部３０１には、撮像データに基づく、ユーザの情報が記録される。例えば、撮像の度に取得される、ユーザの輪郭の情報、目の位置、鼻の位置、口の位置、及びその他の特徴となる部位の位置情報、が記録されている。
【００２７】
視点位置検出部２１１は、後述の視点位置検出において、ユーザの鏡像に対する視点の位置を検出する。例えば、アイトラッキング等の手法を用いることによって、ユーザの視点の位置が検出される。
【００２８】
変化領域検出部２１２は、後述の変化領域検出において、ユーザが何らかの動作を行っている位置を特定する。例えば、フレーム間で被写体が変化している画像領域がある場合、その領域は、ユーザの動作が伴う領域であることが判る。
【００２９】
領域指定部２１３は、後述の領域指定において、ユーザが注目している領域を検出する。例えば、領域指定部２１３は、ユーザの視点の位置、及び／又はユーザが何らかの動作を行っている位置とから、ユーザが注目している領域（以下、「注目領域」と呼ぶ）を特定する。
【００３０】
画像処理部２１４は、後述の画像処理において、注目領域の画像に対して、所定の処理を施す。例えば、注目領域に対して拡大処理を行う。
【００３１】
表示制御部２１５は、後述の表示制御において、画像処理が施された注目領域の画像を、表示画面１３に表示する。例えば、画像処理が施された注目領域の画像が、ユーザ自身が表示されている画面に重ねて表示される。
【００３２】
［表示処理］
図４は、図３の機能的構成を有する表示装置１０が実行する表示処理の流れを説明するフローチャートである。
表示処理は、例えば、ユーザによる入力部１７への表示処理開始の操作により開始される。表示処理開始の操作は、例えば、ユーザが入力部１７の電源ボタンを押す操作である。
【００３３】
ステップＳ１において、視点位置検出部２１１は、ユーザの姿、例えば、顔を検出する。図５に示されるように、ユーザＵの顔は、所謂顔認識機能を用いて検出される。顔認識機能には、例えば、顔認識ＡＦ、顔認識ＡＥ、又は顔認識ＷＢの何れかの手法が適用される。
【００３４】
視点位置検出部２１１は、ユーザＵの顔を検出するとともに、ユーザＵの顔の各部位の位置情報、及びユーザＵの輪郭の情報を記録する。各部位とは、目、鼻、口、顎、頬、首、及びその他の顔画像における位置を特定する際に特徴となる部位である。各部位の位置情報及び輪郭情報の取得の頻度は、例えば、フレームレート毎に行われる。
【００３５】
ステップＳ２において、視点位置検出部２１１は、ユーザＵの顔が撮像されたか否かを判定する。顔が撮像されない場合、ステップＳ１に戻り、顔が撮像されるまで処理は繰り返される。
【００３６】
ステップＳ３において、視点位置検出部２１１は、ユーザＵの視点の位置を検出する、視点位置検出を行う。視点位置の検出には、例えば、所謂アイトラッキングの手法が用いられる。視点位置検出部２１１は、アイトラッキングの結果から、ユーザＵが顔のどの部位に注目しているかを検出する。
【００３７】
ここでは、図５に示されるように、ユーザＵが、剃刀５１を用いて、口部５０の周辺の髭を剃る場合を例として説明する。ユーザＵは、髭を剃る場合、剃刀５１を口部５０の周辺に当てながら動かす動作を行う。具体的には、ユーザＵが髭を剃る動作に伴う鏡像は、時間の経過に伴って、鏡像４０、鏡像４１、鏡像４２の順に変化する。まず、剃刀５１は、鏡像４０において口部５０の上側にあり、次に、鏡像４１において口部５０に達し、再び、鏡像４２において口部５０の上側に移動する。
【００３８】
このとき、ユーザＵの視点は、剃刀５１の周辺、即ち口部５０に位置する。視点位置検出部２１１は、視点の位置が口部５０の周辺にあることを検出し、ユーザＵは、口部５０に注目していると判定する。
【００３９】
また、変化領域検出部２１２は、鏡像４０〜４２の間で、被写体が相対的に大きく変化している領域を検出する、変化領域検出を行う。ここでは、変化領域検出部２１２は、剃刀５１の位置が、口部５０の周辺で相対的に大きく移動しているため、変化領域は口部５０の周辺であると判定する。
【００４０】
即ち、変化領域検出部２１２は、直前のフレーム画像と現在のフレーム画像との間、例えば、鏡像４０と鏡像４１との間で、被写体が変化した場合、被写体が変化した画像領域を変化領域として検出する。被写体の変化の有無は、例えば、特徴量を抽出する手法によって、定量化された画像の値の変化量を検出することによって行われる。
【００４１】
ステップＳ４において、視点位置及び変化領域が検出されたか否かが判定される。視点位置及び変化領域が検出されない場合、処理はステップＳ３に戻り、検出されるまで繰り返される。ステップＳ４において、視点位置及び変化領域が検出されたと判定されると、処理はステップＳ５に進む。
【００４２】
ステップＳ５において、領域指定部２１３は、視点位置及び変化領域に基づいて、注目領域を指定する、領域指定を行う。例えば、上述のように、視点の位置が口部５０の周辺にあり、且つ変化領域が口部５０の周辺である場合、領域指定部２１３は、口部５０を囲む所定の画素数の矩形領域を注目領域Ｆ１とする。
【００４３】
注目領域Ｆ１が定められると、ステップＳ６において、画像処理部２１４は、注目領域Ｆ１の画像に対して画像処理を行う。画像処理は、例えば、注目領域Ｆ１の画像を拡大する処理である。
【００４４】
ステップＳ７において、表示制御部２１５は、画像処理が施された注目領域Ｆ１の画像を表示画面１３に表示する、表示制御を行う。例えば、図６に示されるように、画像処理が施された注目領域Ｆ１の拡大画像Ｆ２は、ユーザＵの鏡像に重ねて表示されてもよい。拡大画像Ｆ２の表示の位置は、例えば、ステップＳ３において検出された変化領域の位置に基づいて定められる。
【００４５】
ここで、表示制御部２１５は、拡大画像Ｆ２の表示位置を、ユーザＵの視点位置のみによらず、変化領域の位置も考慮して決定する。例えば、図７に示されるように、拡大画像Ｆ２の表示位置が、ユーザＵの視点位置のみに合わせて決定されると、変化領域とは異なる位置に拡大画像Ｆ３が表示されるため、ユーザＵにとって使い勝手が悪い。
【００４６】
ステップＳ７において、拡大画像Ｆ２が表示されると、処理はステップＳ８に進む。ステップＳ８では、終了条件を満たしたか否かが判定される。終了条件は、例えば、拡大画像Ｆ２が表示されたことである。拡大画像Ｆ２が表示されている場合、表示処理は終了し、拡大画像Ｆ２が表示されていない場合には、処理はステップＳ１に戻る。
【００４７】
上述の第１の実施形態に係る表示装置１０の構成によれば、以下の効果を奏する。
例えば、ユーザＵが髭を剃る場合、髭の処理が行われている箇所が、はっきりと見えるように拡大されるため、ユーザＵは、髭剃りを行い易く、又剃り残しを防止できる。さらに、２つの手法、即ち、視点位置検出及び変化領域検出によって、髭の処理が行われている箇所が特定されるため、当該箇所の特定の精度がより向上する。また、拡大画像Ｆ２の表示位置が、視点位置のみによらず、変化領域によっても特定されるため、拡大画像Ｆ２が、ユーザＵが注目領域に応じた位置に表示される利点がある。
このように、本発明によれば、所定の領域を容易に認識することができる表示装置１０が実現される。
【００４８】
以下、第２の実施形態に係る表示装置１０について図面を参照して説明する。第１の実施形態と同一の構成には、同一の符号が付されている。第２の実施形態に係る表示装置１０の外観の構成及びハードウェア構成は、第１の実施形態と同一であるため説明は省略する。
第１の実施形態との違いは、システム構成、機能的構成、及び画像処理である。より詳しくは、第２の実施形態に係る表示装置１０は、他の電子機器と通信を行い、通信の結果に基づいて画像処理を行う点において、第１の実施形態と異なる。
【００４９】
［第２の実施形態のシステム構成］
第２の実施形態における表示装置１０は、図示しない他の電子機器と通信を行う。この場合、表示装置１０は、図示しないネットワークを介して、他の電子機器と相互に通信可能に接続される。ネットワークは、例えば、インターネットや、ＬＡＮ（Ｌｏｃａｌ  Ａｒｅａ  Ｎｅｔｗｏｒｋ）や、携帯電話網のいずれか、又はこれらを組み合わせたネットワークにより実現される。また、ネットワークには、図示しないサーバ群が接続されてもよい。
【００５０】
［第２の実施形態の動作］
図８は、表示装置１０の機能的構成のうち、第２の実施形態に係る表示処理（以下、「第２の表示処理」と呼ぶ）を実行するための、機能的構成を示す機能ブロック図である。
表示処理とは、表示装置１０が、ユーザＵを被写体とした画像を撮像し、撮像画像に対して所定の画像処理を施し、又、後述の通信部によって取得された情報に基づいて表示画面を制御する、一連の処理である。
第２の表示処理が実行される場合、図８に示すように、ＣＰＵ２１において、領域指定部２１３、画像処理部２１４、及び表示制御部２１５が機能する。
【００５１】
また、記憶部３０の一領域には、撮像データ記憶部３０１に加えて、受信データ記憶部３０２がさらに設定される。
受信データ記憶部３０２には、受信データに基づく情報が記録される。例えば、電子機器等の通信対象機器の製品情報、通信の日時、通信対象の位置データ、及びその他通信対象機器固有の情報が記録される。
【００５２】
領域指定部２１３は、後述の第２の領域指定において、受信データに応じてユーザＵが注目することが推測される領域を検出する。例えば、領域指定部２１３は、受信データの画像を解析して、注目領域を推測する。
【００５３】
画像処理部２１４は、後述の第２の画像処理において、鏡像に対して所定の処理を施す。例えば、受信データを解析し、受信データに所定の処理を施して画像等を表示する。
【００５４】
表示制御部２１５は、後述の第２の表示処理において、画像処理が施された注目領域の画像を、表示画面１３に表示する。例えば、画像処理が施された注目領域の画像が、ユーザＵ自身の鏡像に重ねて表示される。
【００５５】
［第２の実施形態の表示処理］
図９は、図８の機能的構成を有する表示装置１０が実行する、第２の表示処理を説明するフローチャートである。
第２の表示処理は、例えば、ユーザＵによる入力部１７への表示処理開始の操作により開始される。表示処理開始の操作は、例えば、ユーザが入力部１７の電源ボタンを押す操作である。
【００５６】
ステップＳ２１において、通信部３１は、他の電子機器からのデータの受信を待機する。待機の時間は、例えば、出荷時等に予め定められた時間である。ここでは、通信対象となる他の電子機器がスマートフォンである場合を想定する。
【００５７】
ステップＳ２２において、通信部３１は、データが受信されたか否かを判定する。ステップＳ２２において、データが受信されていないと判定されると、処理はステップＳ２１に戻り、データが受信されるまで繰り返される。
【００５８】
ステップＳ２２において、データが受信されたと判定されると、データは受信データ記憶部３０２に記憶される。受信されたデータは、例えば、電子機器等の通信対象機器の製品情報、通信の日時、通信対象機器の位置データ、及びその他通信対象固有の情報と関連付けられて保存される。この場合、受信データは、スマートフォンの製品番号、スマートフォンに搭載されるソフトウェアのバージョン情報、スマートフォンが使用された場所の位置データ等である。
【００５９】
受信されたデータが受信データ記憶部３０２に記録されると、処理はステップＳ２３に進む。ステップＳ２３において、領域指定部２１３は、受信データ記憶部３０２に記録された受信データを読み出して受信データの解析を行う。
【００６０】
領域指定部２１３は、受信したデータが、ユーザＵの鏡像のどの部位に関するデータであるかを特定する、第２の領域指定を行う。ここでは、受信データ記憶部３０２に含まれる製品番号から、データの種類がスマートフォンのデータであることを取得する。
【００６１】
又、ここでは、受信データが、歯磨きの動作に応じた動画像データを含む場合を想定する。より具体的には、例えば、ユーザＵが、歯科医から歯の磨き方の指導を受けた場合、スマートフォンには、その間の歯ブラシの動きに応じた動画像データが記録される。歯ブラシの動きは、例えば、スマートフォンに搭載されたカメラによって取得されて、動画像データとして、スマートフォンに備えられた記憶部へ記録されている。
【００６２】
領域指定部２１３は、受信データである、歯磨きの動画像データを解析すると、受信データがユーザＵの口部５０に関するデータであることを検出する。そして、領域指定部２１３は、口部５０を注目領域として指定する。
【００６３】
領域指定部２１３が、注目領域を指定すると、処理はステップＳ２４に進む。ステップＳ２４では、画像処理部２１４は、データの種類に応じてデータの変換が必要か否かを判定する。データの変換とは、例えば、画像データを数値データ等に変換することをいう。ステップＳ２４において、データ変換が必要と判定されると、処理はステップＳ２５へ進む。
【００６４】
ステップＳ２５では、画像処理部２１４は、受信データを表示用のデータに変換するとともに、第２の画像処理を行う。ここでは、歯ブラシの動きに応じた動画像データを表示用の画像データに変換する。具体的には、画像処理部２１４は、歯ブラシの動きに応じた動画像データを、その動きに追従する線画へ変換する。線画は、例えば、歯ブラシの動きに追従して逐次変化する動画像である。
【００６５】
ステップＳ２５の処理が完了するか、又はステップＳ２４においてデータ変換が不要と判断された場合、処理はステップＳ２６に進む。ステップＳ２６では、表示制御部２１５は、第２の表示制御を行う。例えば、表示制御部２１５は、受信データに基づいて画像処理が施された画像を拡大し、注目領域に重ねて表示する。
【００６６】
ここでは、画像処理部２１４は、例えば、注目領域である口部５０の画像を拡大するとともに、経時的に変化する線画を、ユーザＵの口部５０に重ねて表示する。線画は、鏡像における口部５０の大きさに応じて、適切な大きさで表示される。
【００６７】
ステップＳ２７では、終了条件が満たされたか否かが判定される。終了条件は、例えば、表示画像が動画像データである場合、全てのフレームの画像に対しての表示が終了した場合である。
【００６８】
上述の第２の実施形態に係る表示装置１０の構成によれば、以下の効果を奏する。
例えば、ユーザＵが歯磨きを行う場合、ユーザＵは、自身の鏡像の口部５０に重ねて表示された線画を見ながら、歯磨きの指導を受けた時の歯ブラシの動きを、自宅等で再現することができる。さらに、ユーザＵの口部５０の画像が拡大表示されることよって、ユーザＵは、自身の歯をはっきりと見ることが出来るため、磨き残しが防止される利点がある。
このように、本発明によれば、所定の領域を容易に認識することができる表示装置１０が実現される。
【００６９】
以上のように構成される画像処置装置１０は、撮像部１４と、表示部１１と、視点位置検出部２１１と、領域指定部２１３と、画像処理部２１４と、表示制御部２１５と、を備える。
撮像部１４は、対象者のフレーム画像を撮像し、表示部１１は、対象者の鏡像を表示する。表示制御部２１５は、表示部１１にフレーム画像を鏡像として表示する。視点位置検出部２１１は、対象者の鏡像への視点位置を検出する。領域指定部２１３は、視点位置検出部２１１により検出された鏡像への視点位置に応じた、フレーム画像の画像領域を注目領域Ｆ１として指定する。画像処理部２１４は、領域指定部２１３により指定された注目領域に対して、視認性を向上させる画像処理を行う。表示制御部２１５は、画像処理部２１４により視認性を向上させる画像処理が行われた注目領域を表示部１１に表示する。
これにより、所定の領域を容易に認識することができる表示装置１０を実現することができる。
【００７０】
画像処理部２１４は、注目領域Ｆ１を強調するように画像処理を行う。
これにより、ユーザは、注目領域Ｆ１を他の領域と区別して容易に認識することが可能となる。
【００７１】
画像処理部２１４は、注目領域Ｆ１を拡大するように画像処理を行う。
これにより、ユーザは、注目領域Ｆ１をより詳細に見ることが出来るため、注目している領域を容易に認識することが可能となる。
【００７２】
画像処理手段は、注目領域Ｆ１と、注目領域以外の領域とに各々異なる画像処理を行う。
これにより、ユーザは、注目領域Ｆ１と注目領域以外の領域とを区別して視認することが可能となるため、注目領域Ｆ１をより認識しやすくなる。
【００７３】
画像処理部２１４は、撮像部１４により撮像された対象者のフレーム画像に視認性を向上させる画像処理を行い、画像処理が行われたフレーム画像から、注目領域Ｆ１を抽出する。表示制御部２１５は、画像処理が行われる前のフレーム画像とともに注目領域を表示する。
これにより、注目領域Ｆ１は、注目領域Ｆ１以外の領域と区別して視認することが可能となるため、注目領域Ｆ１をより認識しやすくなる。
【００７４】
表示制御部２１５は、視認性を向上させる画像処理が行われた注目領域Ｆ１と、視認性を向上させる画像処理が行われていない注目領域Ｆ１以外の領域と、を含むフレーム画像を、表示部１１に表示する。
これにより、画像処理が行われた注目領域Ｆ１が他の領域と区別して視認されるため、注目領域Ｆ１がより認識しやすくなる。
【００７５】
表示装置１０は、変化領域検出部２１２を更に備える。
変化領域検出部２１２は、撮像部１４により撮像された鏡像４０と鏡像４０とは異なる鏡像４１、及び／又は４２との変化領域を検出する。領域指定部２１３は、視点位置検出部２１１により検出された鏡像４０への視点位置と変化領域検出部２１２とにより検出された変化領域を注目領域Ｆ１とする。
これにより、注目領域Ｆ１は、変化領域にも基づいて特定されるため、視点位置のみに基づいて特定される構成と比較して、特定の精度が向上する。
【００７６】
領域指定部２１３は、視点位置検出部２１１により検出された前記鏡像への視点位置、又は対象者の鏡像を中心とした所定の範囲を注目領域Ｆ１とする。
これにより、注目領域Ｆ１には、ユーザの鏡像が含まれるので、ユーザは、注目領域Ｆ１を自身の鏡像と共に容易に認識することが出来る。
【００７７】
鏡像４０〜４２は剃刀５１を含み、画像処理部２１４は、剃刀５１を含む注目領域Ｆ１と剃刀５１を含まない領域とに各々異なる画像処理を行う。
これにより、ユーザは、自身が使用している剃刀５１を含む注目領域Ｆ１とその他の領域とを区別して視認することが可能となるため、注目領域Ｆ１をより認識しやすくなる。
【００７８】
画像処理部２１４は、注目領域Ｆ１を強調するように剃刀５１を含む領域と剃刀５１を含まない領域とに各々異なる画像処理を行う。
これにより、ユーザは、自身が使用している剃刀５１を含む注目領域Ｆ１が強調されるため、その他の領域と区別して視認することが可能となるため、注目領域Ｆ１をより認識しやすくなる。
【００７９】
強調とは、フィルタ処理、エッジ強調、ノイズ除去、高解像度化、コントラスト処理、又はＨＤＲ（Ｈｉｇｈ  Ｄｙｎａｍｉｃ  Ｒａｎｇｅ）処理である。
拡大処理だけではなく、これらの処理が行われることにより、注目領域Ｆ１はよりはっきりと認識される。
【００８０】
［変形例］
本発明は、上述の実施形態に限定されるものではなく、本発明の目的を達成できる範囲での変形、改良等は本発明に含まれるものとする。
【００８１】
例えば、視点位置検出において、視点位置検出部２１１は、視点の位置が、所定の時間内に、口部５０の周辺を略一定の範囲内で移動する場合、ユーザＵが注目している部位は口部５０であると判断してもよい。この場合、視点位置検出部２１１は、例えば、移動範囲から所定の画素数外側の矩形領域を注目領域Ｆ１としてもよい。
【００８２】
他の変形例として、領域指定部２１３は、検出された視点位置、上述の変化領域、及びユーザの輪郭に基づいて注目領域を定めてもよい。例えば、視点位置が口部５０の周辺において検出され、且つ、変化領域が口部５０と隣接する頬の周辺にある場合、領域指定部２１３は、口部５０と頬のどちらが注目領域Ｆ１であるか判別できない。このような場合、領域指定部２１３は、ユーザの輪郭情報を参照して、注目領域Ｆ１を定めてもよい。例えば、領域指定部２１３は、輪郭に対する剃り残しの位置を認識し、剃り残しのある領域を注目領域Ｆ１と定めてもよい。
【００８３】
他の変形例として、領域指定部２１３は、検出された鏡像への視点位置、又はユーザの鏡像とを中心とした所定の範囲を注目領域Ｆ１としてもよい。注目領域Ｆ１にユーザが含まれるように処理をすることで、ユーザは、注目領域と自身の位置との関係を認識することが出来る。
【００８４】
他の変形例として、鏡像４０〜４２が、剃刀５１を含む場合、画像処理部２１４は、剃刀５１を含む注目領域Ｆ１と剃刀５１を含まない領域とに各々異なる画像処理を行ってもよい。例えば、画像処理部２１４は、自身が使用している剃刀５１を含む注目領域Ｆ１には、コントラスト処理やＨＤＲ処理を施し、その他の領域にはこれらの処理を行わない構成としてもよい。これにより、注目領域Ｆ１が他の領域と比較してより認識しやすくなる。或いは、注目領域Ｆ１以外の画像領域を静止画としてもよい。
【００８５】
他の変形例として、第２の実施形態に係る領域指定部２１３は、受信データのうちの製品情報に基づいて、データの種類を特定してもよい。例えば、通信対象となる他の電子機器が電動歯ブラシであるとき、領域指定部２１３は、電動歯ブラシの製品番号を検出することによって、受信データの種類が電動歯ブラシに関するデータであることを特定する。
【００８６】
例えば、電動歯ブラシには、記憶部が設けられており、記憶部には、ユーザが電動歯ブラシを使用した日時等の所謂ログが記録されている。
ステップＳ２２において、通信部２７は、電動歯ブラシと通信を行い、記憶部に記録されたログを受信する。ステップＳ２３において、領域指定部２１３は、ログを解析する。ステップＳ２４において、領域指定部２１３は、ログを表示用のデータに変換する必要があるか否か判定する。例えば、ログが日付等の数値データである場合、ステップＳ２４において、データ変換が不要と判断する。処理はステップＳ２６へ進み、表示制御部２１５は、数値データを、例えば、画面１３の右下へ表示する。
表示されるログは、例えば、１週間分のログである。或いは、通信部２７は、リアルタイムに電動歯ブラシと通信を行うことによって、ログがリアルタイムに表示される構成であってもよい。さらに、受信データに含まれる、位置データから場所が特定されて、その場所が表示されてもよい。なお、通信対象機器は電動歯ブラシに限られず、体温計や、その他の如何なるポータブル機器であってもよい。
【００８７】
他の変形例として、撮像部１４は、複数設けられてもよい。例えば、画面１３の上部だけではなく、下部に設けられてもよい。撮像部１４は、下部からもユーザを撮像することが可能となるため、ユーザ自身に見えづらい部分が鏡像に映し出される。これにより、ユーザは、自身にとって見えづらい部分も容易に視認することが可能となる。或いは、画面１３の上部に蛇腹を介して湾曲自在に取り付けられた、撮像部１４が設けられてもよい。蛇腹に取り付けられた撮像部１４は、ユーザの後ろ姿を映し出すことも可能であるため、ユーザは、通常の鏡では見ることのできない後頭部等を容易に視認することが出来る。
【００８８】
他の変形例として、画像処理は、拡大処理に限られず、強調処理として、フィルタ処理、エッジ強調、ノイズ除去、高解像度化、コントラスト処理、又はＨＤＲ処理を含んでもよい。例えば、コントラスト処理では、コントラストを強調して注目領域Ｆ１の髭を目立たせることが出来る。或いは、フィルタ処理では、画像のぼけを除去しくっきりと鮮明なものに変換する、鮮鋭化の手法が用いられてもよい。また、注目領域Ｆ１の拡大率は、注目領域Ｆ１に含まれる対象物の種類によって個別に定められてもよい。また、画像処理は、撮像画像の全体に対して、上述の強調処理を施したのちに、注目領域を切り取って表示する処理であってもよい。
【００８９】
他の変形例として、注目領域Ｆ１は、領域指定部２１３が、ユーザＵの使用している道具を画像認識することによって定められてもよい。例えば、領域指定部２１３が、剃刀５１を認識した場合、注目領域Ｆ１は、自動的に口部５０の周辺と指定される。或いは、入力部２６にモードボタンが設けられており、ユーザＵが髭剃りのモードを選択すると、自動的に口部５０の周辺が注目領域Ｆ１として指定される。
【００９０】
他の変形例として、画面１３は、例えば、所定の透過率と反射率とを有するハーフミラーに置き換えられてもよい。例えば、ハーフミラーは、視認方向奥側に配置されるディスプレイの光の一部を透過するとともに、ユーザＵからの光の一部を反射する。ユーザＵは、ディスプレイの画像とユーザＵ自身の姿とを、ひとつの画面で視認することができる。この構成において、拡大画像Ｆ２がユーザの鏡像に重畳して配置されてもよい。
【００９１】
他の変形例として、第２の実施形態における表示装置１０は、所謂、見守り機能を備えてもよい。例えば、表示装置１０は、遠隔地にあるスマートフォン等と通信を行う。ここでは、見守りの対象者が表示装置１０を使用する場合を想定する。対象者が表示装置１０を使用して髭剃り等を行うと、通信部２７は、撮像データ記憶部３０１に記録された対象者の撮像データを、遠隔地にあるスマートフォンへ送信する。或いは、表示装置１０が使用されたことを示す信号が送信される。これにより、遠隔地において、スマートフォンを有する者は、対象者の行動を検知することが出来る。
【００９２】
他の変形例として、視点位置検出部２１１は、ユーザＵの顔の各部位の位置情報、及びユーザＵの輪郭の情報を記録するが、取得の頻度は、表示速度の向上のためにフレームレートよりも低い頻度とされても良い。
【００９３】
他の変形例として、画像処理部２１４は、画像全体に画像処理を行った後に、注目領域を切り出してもよい。例えば、画像処理部２１４は、撮像部１４により撮像された対象者のフレーム画像に対して、拡大等の画像処理を行い、画像処理が行われたフレーム画像から、注目領域Ｆ１を抽出する。そして、表示制御部２１５は、拡大等の画像処理が行われる前のフレーム画像とともに、注目領域Ｆ１を表示してもよい。
【００９４】
なお、本発明は、上述の実施形態に限定されるものではなく、本発明の目的を達成できる範囲での変形、改良等は本発明に含まれるものである。
【００９５】
上述の実施形態では、本発明が適用される表示装置１０は、携帯可能な自立式のデジタル鏡であるタブレットを例として説明したが、これに限定されない。
例えば、本発明は、姿見等の大型の鏡に組み込まれた電子機器や、据え置き型の洗面化粧台に組み込まれた電子機器や、浴室に設置される鏡形状の電子機器に適用可能である。
【００９６】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が表示装置１０に備えられていれば足り、この機能を実現するためにどのような機能ブロックを用いるのかは特に図３の例に限定されない。
【００９７】
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００９８】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００９９】
このようなプログラムを含む記録媒体は、ユーザにプログラムを提供するために装置本体とは別に配布される図２のリムーバブルメディア１００により構成されるだけでなく、装置本体に予め組み込まれた状態でユーザに提供される記録媒体等で構成される。リムーバブルメディア１００は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ２２や、図３の記憶部３０に含まれるハードディスク等で構成される。
【０１００】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【０１０１】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１０２】
以下に、本願の出願当初の特許請求の範囲に記載された発明を付記する。
［付記１］
対象者のフレーム画像を撮像する撮像手段と、
対象者の鏡像を表示する表示手段と、
前記表示手段に前記フレーム画像を鏡像として表示させる第1の表示制御手段と、
前記対象者の鏡像への視点位置を検出する視点位置検出手段と、
前記視点位置検出手段により検出された前記鏡像への視点位置に応じた、前記フレーム画像の画像領域を注目領域として指定する領域指定手段と、
前記領域指定手段により指定された前記注目領域に対して、視認性を向上させる画像処理を行う画像処理手段と、
前記画像処理手段により視認性を向上させる画像処理が行われた前記注目領域を前記表示手段に表示する第２の表示制御手段と、
を備えることを特徴とする表示装置。
［付記２］
前記画像処理手段は、前記注目領域を強調するように画像処理を行う、
ことを特徴とする付記１に記載の表示装置。
［付記３］
前記画像処理手段は、前記注目領域を拡大するように画像処理を行う、
ことを特徴とする付記１または２に記載の表示装置。
［付記４］
前記画像処理手段は、前記注目領域と、注目領域以外の領域とに各々異なる画像処理を行う、
ことを特徴とする付記１乃至３の何れか一に記載の表示装置。
［付記５］
前記画像処理手段は、前記撮像手段により撮像された対象者のフレーム画像に視認性を向上させる画像処理を行い、前記画像処理が行われたフレーム画像から、注目領域を抽出し、
前記第２の表示制御手段は、前記画像処理が行われる前のフレーム画像とともに前記注目領域を表示することを特徴とする付記１乃至３の何れか一に記載の表示装置。
［付記６］
前記第２の表示制御手段は、
視認性を向上させる画像処理が行われた前記注目領域と、
前記視認性を向上させる画像処理が行われていない注目領域以外の領域と、
を含むフレーム画像を、前記表示手段に表示することを特徴とする付記１乃至３の何れか一に記載の表示装置。
［付記７］
前記撮像手段により撮像された第１のフレーム画像と当該第１のフレーム画像とは異なる第２のフレーム画像との変化領域を検出する変化領域検出手段と、
を更に備え、
前記領域指定手段は、前記視点位置検出手段により検出された前記鏡像への視点位置と、前記変化領域検出手段により検出された前記変化領域と、に基づいて注目領域を指定する、
ことを特徴とする付記１乃至６の何れか一に記載の表示装置。
［付記８］
前記領域指定手段は、前記視点位置検出手段により検出された前記鏡像への視点位置、又は対象者の鏡像を中心とした所定の範囲を注目領域とする、
ことを特徴とする付記１乃至７の何れか一に記載の表示装置。
［付記９］
前記フレーム画像は対象物を含み、
前記画像処理手段は、前記対象物を含む領域と前記対象物を含まない領域とに各々異なる画像処理を行う、
ことを特徴とする付記１乃至８の何れか一に記載の表示装置。
［付記１０］
前記画像処理手段は、前記注目領域を強調するように前記対象物を含む領域と前記対象物を含まない領域とに各々異なる画像処理を行う、
ことを特徴とする付記９に記載の表示装置。
［付記１１］
前記強調とは、フィルタ処理、エッジ強調、ノイズ除去、高解像度化、コントラスト処理、又はＨＤＲ処理であることを特徴とする付記２又は付記１０に記載の表示装置。
［付記１２］
コンピュータが実行する表示方法であって、
対象者のフレーム画像を撮像する撮像ステップと、
対象者の鏡像を表示する表示ステップと、
前記表示ステップにおいて、前記フレーム画像を鏡像として表示させる第1の表示制御ステップと、
前記対象者の鏡像への視点位置を検出する視点位置検出ステップと、
前記視点位置検出ステップにおいて検出された前記鏡像への視点位置に応じた、前記フレーム画像の画像領域を注目領域として指定する領域指定ステップと、
前記領域指定ステップにおいて指定された前記注目領域に対して、視認性を向上させる画像処理を行う画像処理ステップと、
前記画像処理ステップにおいて視認性を向上させる画像処理が行われた前記注目領域を、前記表示ステップにおいて表示させる第２の表示制御ステップと、
を備えることを特徴とする表示方法。
［付記１３］
コンピュータに、
対象者のフレーム画像を撮像する撮像機能と、
対象者の鏡像を表示する表示機能と、
前記表示機能において、前記フレーム画像を鏡像として表示させる第1の表示制御機能と、
前記対象者の鏡像への視点位置を検出する視点位置検出機能と、
前記視点位置検出機能により検出された前記鏡像への視点位置に応じた、前記フレーム画像の画像領域を注目領域として指定する領域指定機能と、
前記領域指定機能により指定された前記注目領域に対して、視認性を向上させる画像処理を行う画像処理機能と、
前記画像処理機能により視認性を向上させる画像処理が行われた前記注目領域を、前記表示機能において表示させる第２の表示制御機能と、
を実現させることを特徴とするプログラム。
【符号の説明】
【０１０３】
１０・・・表示装置，２１・・・ＣＰＵ，２２・・・ＲＯＭ，２３・・・ＲＡＭ，２４・・・バス，２５・・・入出力インターフェース，１４・・・撮像部，２６・・・入力部，３０・・・記憶部，２７・・・通信部，２８・・・ドライブ，１００・・・リムーバブルメディア，２１１・・・視点位置検出部，２１２・・・変化領域検出部，２１３・・・領域指定部，２１４・・・画像処理部，２１５・・・表示制御部，３０１・・・撮像データ記憶部，４０〜４２・・・鏡像，Ｆ１・・・注目領域，Ｆ２〜Ｆ３・・・拡大領域
【図１】
2019161508.tif 000003
【図２】
2019161508.tif 000004
【図３】
2019161508.tif 000005
【図４】
2019161508.tif 000006
【図５】
2019161508.tif 000007
【図６】
2019161508.tif 000008
【図７】
2019161508.tif 000009
【図８】
2019161508.tif 000010
【図９】
2019161508.tif 000011